(57)【要約】【課題】  異なる幅の柱状部材に対応し、且つ十分な保持力により取り付けることができ、何度でも再利用ができるようにする。【解決手段】養生カバーを第１カバー１と第２カバー２とに左右で分割する。それぞれのカバーは、面保護面１１と挟持面１２とを、面保護面２１と挟持面２２とを、それぞれ鋭角で連結する。第２カバー２に面保護面２１に平行な被覆面２３を設ける。面保護面１１の外側と、被覆面２３の内側に凹凸面１ｇ、２ｇを形成し、互いに噛み合うようにして面保護面１１、２１の幅を固定する。挟持面１２と挟持面２２により柱Ｐの両側部を挟持する。【選択図】  図２
2005264536.tif 000002
【特許請求の範囲】
【請求項１】
建築材料としての柱状部材を養生するカバーであって、前記柱状部材の保護すべき面を覆うことのできる面保護面と、この面保護面の両端に連結し、柱状部材を挟持するための挟持面とからなり、前記面保護面の幅が幅調整手段により可変であり、また、前記面保護面と前記挟持面とが成す角が鋭角であって、前記挟持面と柱状部材とが面接触するように形成したことを特徴とする建築用養生カバー。
【請求項２】
前記幅調整手段は、面保護面を水平方向に分割可能にし、分割された面保護面を自在の幅で連結可能にすることで構成されることを特徴とする請求項１記載の建築用養生カバー。
【請求項３】
前記分割された面保護面は、連結カバーを介して任意の幅で連結し得るようにされることを特徴とする請求項２記載の建築用養生カバー。
【発明の詳細な説明】
【技術分野】
【０００１】
本発明は、住宅などの建設現場において、取り付けた化粧柱などの柱状部材に作業中の不注意によって傷つけることを防止するために、建材を保護する建築用養生カバーに関する。
【背景技術】
【０００２】
戸建住宅や集合住宅の建築においては、内装の見栄えをよくするために、表面にプリント加工が施された合板の柱材が多用されている。このような柱材が多用されている理由としては、プリント加工を施さない無垢の木材でできた化粧材に比べると、値段が安いだけでなく、建築後の経年変化による変色などが少ないという利点があるためである。
【０００３】
しかしながら、このような柱材を実際に取り付けた後も建築作業は続けられるわけで、その建築作業においては、様々な資材の搬入や、工具を使用しての作業になる。そのため、注意していても不可抗力で柱材に当ってしまうことがある。それによって傷ついてしまった柱材は補修するのが非常に困難で、ましてや建築が進んだ建物では取り替えることができない。建築されたばかりの柱に傷がついていたのでは、施主に対する責任は重大である。
【０００４】
そのため、何らかの方法でこの取り付けた柱材を保護する必要がある。このような柱材の保護を目的として提案されたものとして、例えば、断面矩形の柱状物を囲繞（いじょう）しうる四辺を有する長尺の段ボール材であって、該段ボール材の一辺の長手方向の切欠きが形成され、他の一辺が長手方向に切り離されたようにしたものがある。（特許文献１参照。）
【０００５】
【特許文献１】実開平１−１６３６４９号公報
【０００６】
しかしながら、この提案にある柱状物保護材は、柱材を周回して設置した上で、その端部同士をテープで止める必要がある。そのため、一旦使用した段ボールには折り目がついてしまって、何度も使用するのには自ずと限界がある。また、周回しないとテープで止めることができないため、片側が壁面に埋め込まれている柱などを保護するのには適しない。
【０００７】
このような不具合を改善するものとしては、例えば少なくとも部分的に横方向に波形形状を施した合成樹脂製の波形形状養生カバー（特許文献２参照。）や、可撓性を有する合成樹脂発泡体で構成された筒状部の側部に、筒体部を縦断するスリットが形成されるようにした建築用保護カバー（特許文献３参照。）などがある。これらは柱の片面に取り付けてその両側面を挟持して保持されるようにしたものである。また、このようなものであれば、使用後の再利用も可能である。
【０００８】
【特許文献２】実用新案登録第３０７４２８０号公報
【特許文献３】特開平９−２７３３１３号公報
【発明の開示】
【発明が解決しようとする課題】
【０００９】
しかしながら、これらのいずれの提案においても、カバー自体の幅は一定であるため、保護する柱の幅に適した異なるサイズのカバーが必要となる。そのため、在庫の必要性やそれに伴う費用などにおいて効率性が良くない。また、挟持するに当っては、柱との当接部分は線接触であって、衝撃が加わったときの傷の危険性と、不十分な保持力のため外れる心配を拭い去れない。
【００１０】
そこで本発明は、この課題を解決するために、異なる幅の柱に対応し、且つ十分な保持力により取り付けることができ、何度でも再利用ができる建築用養生カバーを提供することを目的とする。また、組み合わせによっては柱の片面のみではなく、半周または全周囲を保護することもできる建築用養生カバーである。
【課題を解決するための手段】
【００１１】
上記目的を達成するため本発明は、建築材料としての柱状部材を養生するカバーにおいて、柱状部材の保護すべき面を覆うことのできる面保護面と、この面保護面の両端に連結し、柱状部材を挟持するための挟持面とを設け、面保護面の幅を幅調整手段により可変とし、また、前記面保護面と前記挟持面とが成す角を鋭角にして、前記挟持面と柱状部材とが面接触するように形成した。
そして、例えば養生するカバーの素材としては、可撓性を有する樹脂などによって形成し、例えば、挟持面に平坦面と、その先端に湾曲面を形成するとともに、平坦面で柱状部材を挟持すれば、挟持面と柱状部材とを面接触させることができる。
【００１２】
そして、柱などの部材の幅になるように面保護面の幅を調整し、挟持面の平坦面が部材の両側部を十分な保持力により挟持するようにセットすれば、建築中の部材を保護できる。
【００１３】
また、本発明では、前記幅調整部材として、面保護面を水平方向に分割可能にし、分割された面保護面を自在の幅で連結可能にすることで構成した。
【００１４】
この際、例えば、分割した片側を面保護面と被覆面の２重構造として、その間にもう一方の面保護面を差し入れ、その差し入れた位置を突条などで形成した凹凸によって固定することで幅の調整が行えるようにすると良い。これによって、柱状部材の幅に応じて面保護面の幅を容易に調整でき、異なる幅の部材に対応して、より多くの現場で効率よく再利用できる。
【００１５】
また、本発明では、前記分割された面保護面を、連結カバーを介して任意の幅で連結し得るようにした。
このように連結カバーを介して任意の幅で連結し得るようにすれば、例えば柱状部材に保護すべき面が多面存在するようなときなどに、便利が良い。
【発明の効果】
【００１６】
建築材料としての柱状部材を養生するカバーとして、柱状部材の保護すべき面を覆うことのできる面保護面と、この面保護面の両端に連結し、柱状部材を挟持するための挟持面とから構成し、面保護面の幅を幅調整手段により可変とし、また、前記面保護面と前記挟持面とが成す角が鋭角であって、前記挟持面と柱状部材とが面接触するように形成すれば、柱などの部材の幅になるように面保護面の幅を調整し、挟持面の平坦面が部材の両側部を十分な保持力により挟持するよう装着することが可能となり、幅の異なる柱でも確実に保護することができ、また、何度でも繰り返して使用することができる。
【００１７】
また、前記幅調整手段として、面保護面を水平方向に分割可能にし、分割された面保護面を自在の幅で連結可能にすることで構成すれば、簡単な構造で幅を調整することができ、また、より多くの現場で効率よく再利用できる。
また、分割された面保護面を連結する際、連結カバーを介して自在の幅で連結し得るようにすれば、保護すべき面が多面存在するような場合などに便利である。
【発明を実施するための最良の形態】
【００１８】
本発明の実施の形態について添付した図面に基づき説明する。ここで図１は本発明に係る建築用養生カバーの一実施形態を示す斜視図で被覆面と面保護面を強制的に開かせた状態を示す説明図、図２は建築用養生カバーの使用例を示す平面断面図、図３は建築用養生カバーによる挟持状態を説明する部分平面断面図、図４は建築用養生カバーの他の実施形態を示す平面断面図、図５は建築用養生カバーの凹凸面の一実施形態を示す平面断面図である。
【００１９】
本発明に係る建築用養生カバーは、建築中の住宅などにおいて、主に化粧柱など建築材を保護するためのもので、特に角柱状の柱状部材を保護するのに適したものとして構成されている。この養生カバーは、例えば、樹脂製素材から形成され、図１〜３に示すように、第１カバー１と、第２カバー２に左右に分割して構成され、この分割構成によって、後述するように幅調整機能が発揮できるようにされている。それぞれのカバー１、２は、第１カバー１については、面保護面１１と挟持面１２が、第２カバー２については、面保護面２１と挟持面２２とが、それぞれ鋭角で連結されている。また、第２カバー２には、面保護面２１に平行な被覆面２３が設けられ、面保護面２１と互いに端部で連結されるとともに、図１では開いた状態で示している被覆面２３と面保護面２１とが、通常時はその可撓性により互いに密着し合うように形成されている。また第２カバー２の面保護面２１は、第１カバー１の面保護面１１を間に差し込み易いように、被覆面２３よりも僅かに長めに形成されている。
【００２０】
第１カバー１の面保護面１１の外側と、第２カバー２の被覆面２３の内側には縦方向の凸条が隔置された形で凹凸面１ｇ、２ｇが形成されている。そして、これらを取り付ける際には、後述するように適切な位置の凹凸面１ｇ、２ｇを噛み合わせることにより面保護面１１、２１を任意の幅で固定できる。
【００２１】
第１カバー１の面保護面１１と挟持面１２は互いの一端辺が連結され、連結部分は直角未満の角度をなすように形成されている。その角度としては８８度〜７５度程度が望ましい。挟持面１２は、図３にも示すように、連結部分から鋭角で延出した後、僅かに外側に湾曲し、その後、徐々に平坦となる平坦面１２ａが形成され、その先の端部は再び外方向へ湾曲する湾曲面１２ｂが形成されている。平坦面１２の内側には、例えば粗面などの滑り止め１２ｃが形成されている。
【００２２】
第２カバー２の面保護面２１と挟持面２２も同様に連結され、挟持面２２には、図１に示すように、同様に平坦面２２ａ、湾曲面２２ｂ、滑り止め２２ｃが形成されている。滑り止め１２ｃ、２２ｃの目的はそれぞれのカバーが簡単に外れないようにするためのものである。また、湾曲面１２ｂ、２２ｂの目的は、カバーに衝撃が与えられても、建築材へ傷をつけないようにするためである。
【００２３】
次に、この建築用養生カバーの使用形態について説明する。まず、図２に示すように、保護する対象の柱Ｐの幅に概ね合わせるように、第１カバー１の面保護面１１を、第２カバー２の面保護面２１と被覆面２３との間に差し入れる。次に、図２に示す要領で挟持面１２、２２を柱状部材Ｐの側面に向けて両側から押し付ける。これによって、平坦面１２ａ、２２ａが柱Ｐの両側面に密着する。この状態を維持したまま被覆面２３を面保護面１１に押し付けて凹凸面１ｇ、２ｇを確実に嵌合させ、幅が開かないようにする。これにより、テープなどを使用することなく、保護する柱などの任意の幅に合わせ建築用養生カバーを容易に取り付けることができる。建築が完成したならば、逆の手順で取り外し、別の建築現場で再使用ができる。
【００２４】
次に、角柱などのように、２面とその角を保護しなくてはならない場合の使用方法について説明する。
図４に示すように、壁の角に位置する角柱Ｐｃを保護するに当っては、連結カバー３を使用する。連結カバー３は、面保護面３１ａと面保護面３１ｂとが略直角に連結され、面保護面３１ｂに平行な被覆面３２が連結されている。被覆面３２の内側には、凹凸面３ｇが形成されている。また、他方側の面保護面３１ａの表面にも凹凸面３ｇが形成されている。
【００２５】
取り付けは、上記のような連結カバー３を第１カバー１や第２カバー２と組み合わせるようにし、まず、第１カバー１の面保護面１１を連結カバー３の面保護面３１ｂと被覆面３２との間に差し込んで幅を決める。さらに、第２カバー２の面保護面２１と被覆面２３との間に、連結カバー３の面保護面３１ａを差し入れて幅決めをする。
【００２６】
尚、それぞれの凹凸面の形態は限定されるものではないが、例えば図５に示すように、断面の先端が幅広状のキノコ型をした凸条ｔを等間隔で隔置することができる。これによって、凹凸面を互いに押し付けることにより、お互いの凸条ｔの間に嵌合され、外れにくくなる。外す際は例えば被覆面２３を外側に湾曲させるようにして剥がせば、容易に外れる。
【００２７】
また、本発明は以上のような実施形態に限定されるものではない。本発明の特許請求の範囲に記載した事項と実質的に同一の構成を有し、同一の作用効果を奏するものは本発明の技術的範囲に属する。例えば、幅調整手段としては、面保護面を分割するのではなく、蛇腹形状などにより、一枚の面保護面の幅を伸縮可能にすることもできる。
【産業上の利用可能性】
【００２８】
建築中の建物において、異なる幅の柱状部材に対応し、且つ十分な保持力により取り付けることができ、何度でも再利用ができる。また、組み合わせによっては柱の片面のみではなく、半周または全周囲を保護することもできる。
【図面の簡単な説明】
【００２９】
【図１】本発明に係る建築用養生カバーの一実施形態を示す斜視図で被覆面と面保護面を強制的に開かせた状態を示す説明図
【図２】建築用養生カバーの使用例を示す平面断面図
【図３】建築用養生カバーによる挟持状態を説明する部分平面断面図で（ａ）は装着前、（ｂ）は装着状態
【図４】建築用養生カバーの他の実施形態を示す平面断面図
【図５】建築用養生カバーの凹凸面の一実施形態を示す平面断面図
【符号の説明】
【００３０】
１…第１カバー、２…第２カバー、１１…面保護面、１２…挟持面、２１…面保護面、２２…挟持面、２３…被覆面、Ｐ…柱。
【図１】
2005264536.tif 000003
【図２】
2005264536.tif 000004
【図３】
2005264536.tif 000005
【図４】
2005264536.tif 000006
【図５】
2005264536.tif 000007